(57)【要約】【課題】光源の電極と電線との接続部における断線等の不具合発生を抑制することができる照明装置及び液晶表示装置を提供する。【解決手段】ＣＣＦＬ１１の両端に接続される電線１２ａ，１２ｂが貫通され、電線１２ａ，１２ｂの導出方向を規定するホルダ１４を備える。ホルダ１４内には電線１２ａ，１２ｂを屈曲させる貫通路１４２ａ，１４２ｂが形成され、このホルダ１４によって、電線１２ａ，１２ｂをそれぞれバックライトユニット１０の光の出射面とは反対側（バックライトユニット１０の背面側）の面に、ＣＣＦＬ１１の長手方向（又は長手方向に直交する方向）に沿って導出する。【選択図】図４
2009230978.tif 000002
【特許請求の範囲】
【請求項１】
両端に電極を有する線状光源と、一端が前記線状光源の電極に接続された電線と、前記線状光源からの光を出射する出射面とを有する照明装置において、
前記線状光源の電極と前記電線との接続部を覆うと共に、前記電線の一部によって貫通され、前記電線の他端側を前記出射面とは反対側の面に沿って導出するように、前記電線を屈曲させる貫通路を有するホルダを備えることを特徴とする照明装置。
【請求項２】
前記貫通路は、前記電線の他端側が前記線状光源の長手方向に沿って導出するように形成されていることを特徴とする請求項１に記載の照明装置。
【請求項３】
前記貫通路は、前記電線の他端側が前記線状光源の長手方向に直交する方向に沿って導出するように形成されていることを特徴とする請求項１又は２に記載の照明装置。
【請求項４】
前記ホルダは、前記筐体の外形より内側に配置されていることを特徴とする請求項１乃至３の何れか１項に記載の照明装置。
【請求項５】
一端が前記線状光源の一方の電極に接続された第１の電線と、一端が前記線状光源の他方の電極に接続された第２の電線とを有し、前記ホルダは、前記第１の電線及び前記第２の電線を、前記線状光源の一方の電極側でまとめて保持することを特徴とする請求項１乃至４の何れか１項に記載の照明装置。
【請求項６】
前記請求項１乃至５の何れか１項に記載の照明装置と、前記照明装置により光が照射される液晶パネルとを備えることを特徴とする液晶表示装置。
【発明の詳細な説明】
【技術分野】
【０００１】
本発明は、線状光源を備える照明装置及びその照明装置を用いた液晶表示装置に関する。
【背景技術】
【０００２】
従来、液晶表示装置用の照明装置の光源としては、冷陰極管などの線状光源が広く用いられており、冷陰極管の電線の引き出し箇所には、当該電線の端部を被覆するためのホルダが設けられるのが一般的である。
このような照明装置として、ホルダ内で冷陰極管の電線を折り曲げることで、当該電線の導出方向を規定するというものが知られている（例えば、特許文献１参照）。しかしながら、ここでは、電線を冷陰極管の長手方向に直交し且つ外形（平面）から突出する方向に導出しているため、電線を含めた照明装置の外形寸法の定義が不明確になる。
【０００３】
また、一般的に、電源ユニットはディスプレイの裏面に設置されるため、この電源ユニットと上記電線とを接続するためには、電線を裏面に向かって屈曲させる必要がある。このとき、力のかかり方や繰り返しの配線作業によっては、冷陰極管の電極と電線との接続部において断線等の不具合が生じるおそれがある。
そこで、クリップを用いて電線の中間部を筐体に固定することで、電線にかかる不要な力を低減するというサイドライト装置がある（例えば、特許文献２参照）。
【特許文献１】特開２００６−１４７４３５号公報
【特許文献２】特開平５−４５６４７号公報
【発明の開示】
【発明が解決しようとする課題】
【０００４】
しかしながら、上記特許文献２に記載のサイドライト装置にあっては、電線の中間部を固定しているだけであるので、冷陰極管の電極と電線との接続部付近において、電線が外形より外側に飛び出してしまい、他者との接触による電線の曲げやそれに起因する断線等の不具合が生じるおそれがある。
そこで、本発明は、光源の電極と電線との接続部における断線等の不具合発生を抑制することができる照明装置及び液晶表示装置を提供することを課題としている。
【課題を解決するための手段】
【０００５】
上記課題を解決するために、本発明に係る照明装置は、両端に電極を有する線状光源と、一端が前記線状光源の電極に接続された電線と、前記線状光源からの光を出射する出射面とを有する照明装置において、前記線状光源の電極と前記電線との接続部を覆うと共に、前記電線の一部によって貫通され、前記電線の他端側を前記出射面とは反対側の面に沿って導出するように、前記電線を屈曲させる貫通路を有するホルダを備えることを特徴としている。
【０００６】
これにより、電線が外形（平面又は厚さ）から突出することがないので、照明装置の外形寸法の定義を明確にすることができる。また、一般的に光の出射面とは反対側の面（裏面）に配置される電源ユニットへの接続が容易になると共に、電源ユニットとの接続のために電線を裏面に向けて屈曲させる必要がなくなり、光源の電極と電線との接続部に断線等の不具合が生じるのを抑制することができる。
【０００７】
また、本発明に係る照明装置は、上記において、前記貫通路は、前記電線の他端側が前記線状光源の長手方向に沿って導出するように形成されていることを特徴としている。
これにより、電源ユニットが光の出射面とは反対側の面における中央部に配置されている場合などにおいて、電線へストレスを加えることなく、電源ユニットと電線とを接続することができる。
【０００８】
さらに、本発明に係る照明装置は、上記において、前記貫通路は、前記電線の他端側が前記線状光源の長手方向に直交する方向に沿って導出するように形成されていることを特徴としている。
これにより、電源ユニットが光の出射面とは反対側の面における端部に配置されている場合などにおいて、電線へストレスを加えることなく、電源ユニットと電線とを接続することができる。
【０００９】
さらにまた、本発明に係る照明装置は、上記において、前記ホルダは、前記筐体の外形より内側に配置されていることを特徴としている。
これにより、照明装置を平置きする場合などには、ホルダより先に筐体が接触することにより、電線や光源の電極と電線との接続部に対して外力が加わるのを防止することができる。また、筐体の外形寸法によって照明装置の平面寸法及び厚さ寸法を規定することができる。
【００１０】
さらに、本発明に係る照明装置は、上記において、一端が前記線状光源の一方の電極に接続された第１の電線と、一端が前記線状光源の他方の電極に接続された第２の電線とを有し、前記ホルダは、前記第１の電線及び前記第２の電線を、前記線状光源の一方の電極側でまとめて保持することを特徴としている。
これにより、線状光源から引き出された２本の電線をまとめて保持することができるので、その後の電源ユニット等への接続が容易になる。
【００１１】
また、本発明に係る液晶表示装置は、上記の何れか１つの照明装置と、前記照明装置により光が照射される液晶パネルとを備えることを特徴としている。
これにより、光源の電極と電線との接続部に断線等の不具合が生じるのを抑制した照明装置を搭載した液晶表示装置とすることができる。
【発明を実施するための最良の形態】
【００１２】
以下、本発明の実施の形態を図面に基づいて説明する。
図１は、本発明に係る液晶表示装置１の構成を示す分解斜視図である。
この液晶表示装置１は、エッジライト型のバックライトユニット１０と、液晶パネル２０とを備え、液晶パネル２０の背面にバックライトユニット１０が配置されると共に、液晶パネル２０の前面からは、中央部に開口部が形成されたカバー２５が配置される。
【００１３】
液晶パネル２０は、透明な絶縁性を有する材料、例えばガラス基板からなり、２枚の基板を所定の間隔で対向させ、表示領域外周をシール材で接着すると共に液晶を封入し、その上下面に偏光板を貼り付けた構成となっている。
また、液晶パネル２０の周辺には、当該液晶パネル２０を駆動するドライバＩＣが配置され、ドライバＩＣに設けられた入力端子はＦＰＣ２１に設けられた出力端子に接続されている。
【００１４】
次に、第１の実施形態におけるバックライトユニット１０の構成について説明する。
図２は、バックライトユニット１０の構成を示す図、図３は、バックライトユニット１０の光源部の一部を示す図である。なお、図３（ａ）は光源部をバックライトユニット１０の背面から見た図、図３（ｂ）は光源部を側面から見た図である。
バックライトユニット１０の光源としては、線状光源である冷陰極蛍光ランプ（ＣＣＦＬ）１１を適用する。ＣＣＦＬ１１の両端にはそれぞれ電極１１ａ，１１ｂが設けられている。
【００１５】
電線１２ａの一端は、ＣＣＦＬ１１の一方の電極１１ａと半田付け等により接続され、電線１２ａの他端には図示しない接続ピンが接続されてコネクタ１３に固定されている。また、電線１２ｂの一端は、ＣＣＦＬ１１の他方の電極１１ｂと半田付け等により接続され、電線１２ｂの他端には図示しない接続ピンが接続されて、電線１２ａと同様、コネクタ１３に固定されている。
【００１６】
電線１２ｂは、ＣＣＦＬ１１の電極１１ｂ側から、ＣＣＦＬ１１の長手方向に沿ってＣＣＦＬ１１の電極１１ａ側に引き回され、２本の電線１２ａ及び１２ｂが、ＣＣＦＬ１１の電極１１ａ側端部に設置されたホルダ１４により保持されている。ここで、ホルダ１４は、シリコン樹脂等からなり、電線１２ａ，１２ｂ及びＣＣＦＬ１１の電極１１ａ側端部を被覆する形状となっている。
【００１７】
ＣＣＦＬ１１は、液晶パネル２０の背面側に位置する導光板（図示せず）の側面に対向配置され、導光板の側面に光を供給する。なお、本実施形態では、導光板の一対の長辺に相当する側面にそれぞれ対向して、ＣＣＦＬ１１を配置しているものとする。
また、バックライトユニット１０は、ＣＣＦＬ１１や導光板、図示しない光学シート類を内包すると共に、液晶パネル２０が設置される筐体（樹脂フレーム）１５を有する。
【００１８】
ＣＣＦＬ１１から出射された光は導光板の側面に入射され、導光板は、ＣＣＦＬ１１からの光を導光板上面から出射する。導光板としては、アクリル樹脂など、透明なプラスティック樹脂が用いられる。導光板からの光は、上記光学シートとしての拡散シートやレンズシート等介して集光され、液晶パネル２０の背面に導かれる。
なお、図３（ｂ）の下側の面が、バックライトユニット１０の光の出射面に相当している。
【００１９】
次に、ホルダ１４の具体的構成について説明する。
図４は、ホルダ１４の構成を示す図であり、図４（ａ）はホルダ１４の斜視図、図４（ｂ）はホルダ１４の側面図及び正面図である。
ホルダ１４は、ＣＣＦＬ１１の電極１１ａ側端部を外嵌する嵌合部１４１と、電線１２ａ，１２ｂによって貫通されると共に、電線１２ａ，１２ｂの導出方向を規定する貫通路を有する本体部１４２とで構成されている。
【００２０】
嵌合部１４１は略円筒形をしており、電線孔１４ａがＣＣＦＬ１１の電極１１ａと対向するように、嵌合部１４１とＣＣＦＬ１１とは略同一軸心に配置される。そして、この嵌合部１４１に形成された直線状の貫通路１４１ａに、ＣＣＦＬ１１の電極１１ａ側端部が内嵌される。
本体部１４２は略直方体に形成されており、本体部１４２内には、略コの字状（又はＵ字状）の貫通路１４２ａ及び１４２ｂが形成されている。貫通路１４２ａは貫通路１４１ａと連通しており、これにより、電線孔１４ａと本体部１４２における嵌合部１４１との接続面に形成された電線孔１４ｂとが連通されている。
【００２１】
また、電線孔１４ｂと同一面には、電線孔１４ｃ及び１４ｄが形成されており、貫通路１４２ｂによって電線孔１４ｃと電線孔１４ｄとが連通されている。
そして、ＣＣＦＬ１１の電極１１ａ側から引き出された電線１２ａは、電線孔１４ａから挿入されて貫通路１４１ａ及び１４２ａを通り、電線孔１４ｂから導出される。また、ＣＣＦＬ１１の電極１１ｂ側から引き出された電線１２ｂは、電線孔１４ｃから挿入されて貫通路１４２ｂを通り、電線孔１４ｄから導出される。
【００２２】
なお、電線１２ｂは、上述したようにＣＣＦＬ１１の電極１１ａ側に引き回されてホルダ１４の電線孔１４ｃから挿入されるため、電線孔１４ｃは余裕を持たせるために長穴に設定されている。
このホルダ１４を筐体１５に設置する際には、上述したように電線孔１４ａをＣＣＦＬ１１の電極１１ａと対向させると共に、電線孔１４ｂ，１４ｄがそれぞれ電線孔１４ａ，１４ｃより背面側、即ちバックライトユニット１０の光の出射側（液晶パネル２０の設置側）とは反対側に位置するようにする。
【００２３】
このとき、嵌合部１４１から突出形成されたピン１４３が筐体１５に形成された図示しない凹部と嵌め合うことで、筐体１５にホルダ１４が固定されるようになっている。
また、ホルダ１４は、筐体１５の外形より内側に位置するように配置される。筐体１５の四隅には、図２に示すように、筐体１５の底面より下側（背面側）に突出する脚部１５ａが形成されており、ホルダ１４は少なくともこの脚部１５ａより上側（前面側）に配置される。
【００２４】
このような構成により、図２及び図３に示すように、ＣＣＦＬ１１の両端から引き出された電線１２ａ及び１２ｂはそれぞれＣＣＦＬ１１の長手方向に沿ってホルダ１４に導入され、ホルダ１４内で導光板の厚み方向背面側（図３（ｂ）の上側）に屈曲される。そして、その屈曲部から所定間隔をおいて、電線１２ａ及び１２ｂは、ＣＣＦＬ１１の長手方向で且つＣＣＦＬ１１の中央部側（図３（ｂ）の右側）に屈曲され、ホルダ１４から導出される。すなわち、電線１２ａ及び１２ｂは筐体１５の背面にＣＣＦＬ１１の長手方向に沿って導出される。
【００２５】
このように、ホルダ１４内で電線１２ａ及び１２ｂの取り回しが完了するので、電線１２ａ及び１２ｂが筐体１５の外形より外側に飛び出すことはない。
ところで、図５に示すように、線状光源（ＣＣＦＬ）に接続された電線１１２をそのままＣＣＦＬの長手方向に引き出す場合、電線１１２が光源ユニットの筐体１１５の外形（平面）から突出し、外形寸法の定義が不明確となる。
【００２６】
また、図６に示すように、一般的に筐体１１５の背面に設置される電源ユニット１３０に電線１１２を接続する際、Ａ部において電線１１２を背面に向けて屈曲させる必要があり、力のかかり方や繰り返しなどによっては電線とＣＣＦＬの電極との接続部において断線等の不具合が生じるおそれがある。
一方、図７に示すように、線状光源（ＣＣＦＬ）に接続される電線１１２をＣＣＦＬの長手方向に直交する方向に引き出す場合には、電線１１２が光源ユニットの筐体１１５の外形（厚さ）から突出してしまう。
【００２７】
また、図８に示すように、工場工程内において光源ユニットを平置きする場合に、Ｂ部において電線１１２が押し曲げられるため、上記と同様に断線等の不具合が生じるおそれがある。
これに対して、本実施形態では、ＣＣＦＬ１１に接続される電線１２ａ及び１２ｂをホルダ１４内に形成した貫通路によって屈曲させ、筐体１５の背面に沿って導出させるので、配線作業における電線１２ａ及び１２ｂの曲げやそれに起因する断線等の不具合を起こり難くすることができる。
【００２８】
また、ホルダ１４を筐体１５の外形より内側に配置することで、電線１２ａ及び１２ｂを筐体１５の外形より内側に配置するので、電線１２ａ及び１２ｂやＣＣＦＬ１１の電極との接続部に外力が加わるおそれがない。
ホルダ１４の取り付け手順としては、先ず、ＣＣＦＬ１１の電極１１ａに接続されていない状態の電線１２ａをホルダ１４の貫通路１４１ａ及び１４２ａに挿通すると共に、ＣＣＦＬ１１の電極１１ｂに接続されていない状態の電線１２ｂをホルダ１４の貫通路１４２ｂに挿通する。
【００２９】
次に、電線１２ａの電線孔１４ａ側端部を電極１１ａに半田付けする。また、電線１２ｂの電線孔１４ｃ側端部を電極１１ｂに半田付けする。そして、ホルダ１４を各電線１２ａ，１２ｂに沿って滑らし、ホルダ１４の嵌合部１４１をＣＣＦＬ１１の電極１１ａ側端部に被せ、ホルダ１４のピン１４３を筐体１５の所定の凹部に嵌め合わせて、ホルダ１４を筐体１５に固定する。
【００３０】
このように、上記第１の実施形態では、ＣＣＦＬの電極と電線との接続部と覆うホルダ内で電線の導出方向を規定し、当該電線を筐体の裏面（バックライトユニットの光の出射面とは反対側の面）に沿って導出させるので、裏面に設置される電源ユニットに接続するために電線を裏面に向けて屈曲させる必要がなくなると共に、工場工程内においてバックライトユニットを平置きする場合に電線が折り曲げられることもなくなる。その結果、これらの曲げに起因して電線やＣＣＦＬの電極と電線との接続部に断線等の不具合が生じるのを抑制することができる。
【００３１】
さらに、電線をＣＣＦＬの長手方向に沿って導出するので、電源ユニットが上記裏面における中央部に配置されている場合などにおいて、電線へストレスを加えることなく、電源ユニットとの接続を行うことができる。
また、ホルダを筐体の外形より内側に配置するので、電線が筐体の外形（平面や厚さ）から突出することがない。そのため、筐体の外形寸法によってバックライトユニットの外形寸法を明確に規定することができる。
【００３２】
さらにまた、ホルダを筐体の外形より内側に配置するので、バックライトユニットを平置きした場合や他者との接触が生じた場合であっても、電線やＣＣＦＬの電極との接続部に力が加わるおそれがなく、断線等の不具合が生じるのをより効果的に抑制することができる。
また、ＣＣＦＬの両端から引き出される２本の電線を、１つのホルダでまとめて保持するので、その後の電源ユニット等への接続が容易になる。
【００３３】
次に、本発明における第２の実施形態について説明する。
この第２の実施形態は、上述した第１の実施形態において電線１２ａ及び１２ｂをＣＣＦＬ１１の長手方向に沿って導出しているのに対し、電線１２ａ及び１２ｂをＣＣＦＬ１１の長手方向に直交する方向に沿って導出するようにしたものである。
図９は、第２の実施形態におけるホルダ１４の構成を示す図である。
【００３４】
ここで、前述した図４に示す第１の実施形態におけるホルダ１４と同一構成を有する箇所には図４と同一符号を付し、構成の異なる部分を中心に説明する。
本体部１４２内には、図４の貫通路１４２ａ及び１４２ｂに代えて貫通路１４２ｃ及び１４２ｄが形成されている。貫通路１４２ｃは貫通路１４１ａに接続されており、これにより、電線孔１４ａと本体部１４２に形成された電線孔１４ｅとが連通されている。また、貫通路１４２ｄによって電線孔１４ｃと電線孔１４ｆとが連通されている。
【００３５】
ここで、電線孔１４ｅ及び１４ｆは、ホルダ１４の装着時において、ＣＣＦＬ１１の長手方向に配置される面で且つ筐体１５の内側に向く面に形成されている。
なお、本実施形態では、図４に示す電線孔１４ｂ及び１４ｄは形成されていないものとする。
そして、電線１２ａは、電線孔１４ａから挿入されて貫通路１４１ａ及び１４２ｃを通り、電線孔１４ｅから導出される。また、電線１２ｂは、電線孔１４ｃから挿入されて貫通路１４２ｄを通り、電線孔１４ｆから導出される。
【００３６】
このような構成により、ＣＣＦＬ１１の両端から引き出された電線１２ａ及び１２ｂはそれぞれＣＣＦＬ１１の長手方向に沿ってホルダ１４に導入され、ホルダ１４内で導光板の厚み方向背面側（図３（ｂ）の上側）に屈曲される。そして、その屈曲部から所定間隔をおいて、電線１２ａ及び１２ｂは、ＣＣＦＬ１１の長手方向と直交する方向で且つ筐体１５の内側（図３（ａ）の下側）に屈曲され、ホルダ１４から導出される。すなわち、電線１２ａ及び１２ｂは筐体１５の背面にＣＣＦＬ１１の長手方向と直交する方向に沿って導出される。
【００３７】
このように、上記第２の実施形態では、電線を、筐体の背面（バックライトユニットの光の出射面とは反対側の面）にＣＣＦＬの長手方向に直交する方向に沿って導出させるので、前述した第１の実施形態と同様に、裏面に設置される電源ユニットに接続するために電線を裏面に向けて屈曲させる必要がなくなると共に、工場工程内においてバックライトユニットを平置きする場合に電線が折り曲げられることもなくなる。その結果、これらの曲げに起因して電線やＣＣＦＬの電極と電線との接続部に断線等の不具合が生じるのを抑制することができる。
【００３８】
また、電源ユニットが上記裏面における端部に配置されている場合などにおいて、電線へストレスを加えることなく、電源ユニットとの接続を行うことができる。
なお、上記各実施形態においては、ホルダ１４に形成する貫通路を図１０に示すような形状とすることもできる。
図１０は、ホルダ１４の変形例を示す図である。ここでは、図４に示す第１の実施形態のホルダ１４を変形した例について示している。
【００３９】
このホルダ１４には、電線孔１４ａ〜１４ｄに加えて、新たに電線孔１４ｇ及び１４ｈが形成されており、ホルダ１４内に形成された貫通路１４２ａ´によって、電線孔１４ａ、１４ｂ及び１４ｇがそれぞれ互いに連通されている。また、ホルダ１４内に形成された貫通路１４２ｂ´によって、電線孔１４ｃ、１４ｄ及び１４ｈがそれぞれ互いに連通されている。
【００４０】
ここで、電線孔１４ｇ及び１４ｈは、ホルダ１４の装着時において、筐体１５の背面側に配置される面に形成されている。
したがって、電線１２ａは、電線孔１４ａから挿入されて電線孔１４ｂから導出可能であると共に、電線孔１４ｇからも導出可能となっている。また、電線１２ｂは、電線孔１４ｃから挿入されて電線孔１４ｂから導出可能であると共に、電線孔１４ｈからも導出可能となっている。
【００４１】
例えば、バックライトユニット１０の裏面に電源ユニットを設ける場合で、電源ユニットの外側にカバー等が被せられている場合など、電線１２ａ及び１２ｂを図７のようにＣＣＦＬ１１の長手方向に直交する方向に引き出した方が、以降の工程において電線へのストレスを加えることなく配線を行なうことができる場合には、電線１２ａ及び電線１２ｂを電線孔１４ｇ及び１４ｈから引き出すようにする。
【００４２】
なお、ここでは図４に示すホルダ１４の変形例について説明したが、図９に示す第２の実施形態のホルダ１４に上記電線孔１４ｇ及び１４ｈを形成し、貫通路１４２ｃ及び１４２ｄをそれに応じた形状とすることもできる。
このような構成により、電源ユニットの構造に応じて電線の引き出し方向を選択することができると共に、ホルダ部品の共通化を図ることができる。
【００４３】
さらに、図４に示すホルダ１４に図９に示す電線孔１４ｅ及び１４ｆを形成し、貫通路１４２ａ及び１４２ｂをそれに応じた形状とすることもできる。この場合にも、電源ユニットの設置場所に応じて電線の引き出し方向を選択することができるので、ホルダ部品の共通化が図れる。
また、上記各実施形態においては、エッジライト型のバックライトを適用する場合について説明したが、直下型バックライトにも本発明を適用することができる。また、光源としてＣＣＦＬを適用する場合について説明したが、蛍光灯などの線状光源を適用することもできる。
【００４４】
さらに、上記各実施形態においては、本発明に係る照明装置を液晶表示装置のバックライトに適用する場合について説明したが、サイドライトやフロントライトに適用することもできる。
【図面の簡単な説明】
【００４５】
【図１】本発明における液晶表示装置の構成を示す分解斜視図である。
【図２】第１の実施形態におけるバックライトユニットの構成を示す図である。
【図３】第１の実施形態におけるバックライトユニットの光源部の詳細を示す図である。
【図４】第１の実施形態におけるホルダの詳細な構成を示す図である。
【図５】従来のバックライトユニットにおける電線の引き出し方法を示す図である。
【図６】従来のバックライトユニットに発生する不具合について説明する図である。
【図７】従来のバックライトユニットにおける電線の引き出し方法を示す図である。
【図８】従来のバックライトユニットに発生する不具合について説明する図である。
【図９】第２の実施形態におけるホルダの詳細な構成を示す図である。
【図１０】ホルダの変形例を示す図である。
【符号の説明】
【００４６】
１…液晶表示装置、１０…バックライトユニット、１１…冷陰極蛍光ランプ（ＣＣＦＬ）、１２ａ，１２ｂ…電線、１３…コネクタ、１４…ホルダ、１４ａ〜１４ｈ…電線孔、１５…筐体、１５ａ…脚部、２０…液晶パネル、１４１…嵌合部、１４１ａ…貫通路、１４２…本体部、１４２ａ〜１４２ｄ…貫通路、１４３…ピン
【図１】
2009230978.tif 000003
【図２】
2009230978.tif 000004
【図３】
2009230978.tif 000005
【図４】
2009230978.tif 000006
【図５】
2009230978.tif 000007
【図６】
2009230978.tif 000008
【図７】
2009230978.tif 000009
【図８】
2009230978.tif 000010
【図９】
2009230978.tif 000011
【図１０】
2009230978.tif 000012